【事件の表示】
　特許第２８２５１０６号「電子装置の換気装置」の請求項１に係る特許に対する特許異議の申立てについて、次のとおり決定する。
【結　論】
　訂正を認める。
　本件特許異議の申立てを却下する。
【理　由】
１．手続の経緯
　特許第２８２５１０６号の請求項１及び２に係る発明についての出願は、平成２年１０月２０日に特許出願され、平成１０年９月１１日にそれらの発明について特許権の設定登録がなされ、その後、その請求項１に係る特許について、川島与志雄より特許異議の申立てがなされ、平成１１年１０月２０日付で取消理由が通知され、その指定期間内である平成１２年１月１４日に特許異議意見書及び訂正請求書が提出された後、平成１２年１０月２３日付で訂正拒絶理由を兼ねた新たな取消理由が通知され、その指定期間内である平成１２年１２月２７日に、特許異議意見書及び訂正請求書、並びに上記平成１２年１月１４日付訂正請求書を取り下げる旨の訂正請求取下書が提出され、その後、平成１３年１月１９日付で訂正拒絶理由が通知され、その指定期間内である平成１３年４月３日に手続補正書が提出された後、平成１３年７月１８日付で、記載の不備について更に取消理由が通知され、その指定期間内である平成１３年８月１５日に、訂正請求書及び上記平成１２年１２月２７日付訂正請求書を取り下げる旨の訂正請求取下書が提出されたものである。
　
２．平成１３年８月１５日付の訂正の適否についての判断
２−１．訂正の内容
　訂正事項ａ
　特許請求の範囲の請求項１を削除する。
　
　訂正事項ｂ
　特許請求の範囲の請求項２を請求項１に繰り上げると共に、
「前記ルーバは、前記開口部に対向配置される係止部材間に配置され、前記係止体は該ルーバの両側に設けられ、一方の側の係止体は対応する該係止部材と係合し、他方の側の係止体は弾性を有して該係止部材と該ルーバ間に介在し、該ルーバを該係止部材に押圧することを特徴とする請求項１記載の電子装置の換気装置。」とあるを、
「　プラスチックで成形され、電子装置の開口部に付設されるルーバと、
　前記ルーバを前記電子装置の開口部に着脱自在に取着する係止部材と、
　導電性を有し、前記ルーバを被うフィルタと、
を含む電子装置の換気装置であって、
　前記ルーバは、前記開口部に対向配置される被係止部材間に配置され、
　前記係止部材は該ルーバの両側に設けられ、
　一方の側の係止部材は対応する一方の被係止部材と係合し、
　他方の側の係止部材は弾性を有して他方の被係止部材と該ルーバ間に介在し、該ルーバを前記一方の被係止部材に押圧すること、
を特徴とする電子装置の換気装置。」と訂正する。
　
　訂正事項ｃ
　特許明細書第１頁第１７行（特許公報第２欄第５行）、第３頁第１４行（特許公報第３欄第２８行）及び第５頁第１行（特許公報第３欄第４９行）における「係止体」を、それぞれ「係止部材」と訂正する。
　
　訂正事項ｄ
　特許明細書第１頁第１８行（特許公報第２欄第６行）、第３頁第１５行（特許公報第３欄第２９行）及び第４頁第２０行（特許公報第３欄第４８行）における「係止部材」を、それぞれ「被係止部材」と訂正する。
　
　訂正事項ｅ
　特許明細書第３頁第６〜１１行（特許公報第３欄第２０〜２５行）における
「前記開口部に対向配置される係止部材間に配置され、前記係止体は該ルーバの両側に設けられ、一方の側の係止体は対応する該係止部材と係合し、他方の側の係止体は弾性を有して該係止部材と該ルーバ間に介在し、該ルーバを該係止部材に押圧する」を
「前記開口部に対向配置される被係止部材間に配置され、前記係止部材は該ルーバの両側に設けられ、一方の側の係止部材は対応する一方の被係止部材と係合し、他方の側の係止部材は弾性を有して他方の被係止部材と該ルーバ間に介在し、該ルーバを前記一方の被係止部材に押圧する」と訂正する。
　
２−２．訂正の目的の適否、新規事項の有無及び拡張又は変更の存否
　訂正事項ａについて
　訂正事項ａに係る訂正は、特許請求の範囲の請求項１を削除するものであるから、特許請求の範囲の減縮を目的とした明細書の訂正に該当し、新規事項の追加に該当せず、実質的に特許請求の範囲を拡張又は変更するものではない。
　
　訂正事項ｂについて
　訂正事項ｂに係る訂正は、訂正事項ａにより請求項１が削除されたことに伴い、従属形式の記載を独立形式の記載にすると共に、「係止体」とあるを「係止部材」に訂正し、「係止部材」とあるを「被係止部材」に訂正し、「一方の側の係止体は対応する該係止部材と」とあるを「一方の側の係止体は対応する一方の被係止部材と」に訂正し、「他方の側の係止体は弾性を有して該係止部材と」とあるを「他方の側の係止部材は弾性を有して他方の被係止部材と」に訂正し、さらに、「該ルーバを該係止部材に押圧すること」とあるを「該ルーバを前記一方の被係止部材に押圧すること、」に訂正することにより、係止部材と被係止部材との関係を明確にしようとするものであって、いずれも明りょうでない記載の釈明を目的とした明細書の訂正に該当し、新規事項の追加に該当せず、実質的に特許請求の範囲を拡張又は変更するものではない。
　
　訂正事項ｃ〜ｅについて
　訂正事項ｃ〜ｅに係る訂正は、いずれも訂正事項ａ及びｂに係る訂正との整合を図るものであるから、明りょうでない記載の釈明を目的とした明細書の訂正に該当し、新規事項の追加に該当せず、実質的に特許請求の範囲を拡張又は変更するものではない。
　
２−３．訂正の認容
　以上のとおりであるから、平成１３年８月１５日付訂正は、特許法第１２０条の４第２項第１号（訂正事項ａ）及び第３号（訂正事項ｂ〜ｅ）に掲げる事項を目的とするものであって、いずれの訂正事項も、平成１１年法律第４１号による改正前の特許法第１２０条の４第３項で準用され、平成６年法律第１１６号附則第６条第１項の規定により適用される、同法律１１６号による改正前の特許法第１２６条第１項ただし書き及び第２項の規定に適合しているので、上記訂正を認める。
　
２−４．特許異議の申立てについての判断
　訂正前の請求項１に係る発明は、訂正の結果削除され、特許異議の申立ての対象が存在しないので、この特許異議の申立ては、不適法な申立てであって、その補正をすることができないものである。
　したがって、本件特許異議の申立ては、特許法第１２０条の６第１項で準用する第１３５条の規定により、却下すべきものである。
　よって、結論のとおり決定する。
【異議決定日】
平成１３年８月３１日（２００１．８．３１）
【訂正の要旨】
訂正の要旨
　訂正事項ａ
　特許請求の範囲の請求項１を、特許請求の範囲の減縮を目的として、削除する。
　訂正事項ｂ
　特許請求の範囲の請求項２を、明りょうでない記載の釈明を目的として、請求項１と訂正し、
「前記ルーバは、前記開口部に対向配置される係止部材間に配置され、前記係止体は該ルーバの両側に設けられ、一方の側の係止体は対応する該係止部材と係合し、他方の側の係止体は弾性を有して該係止部材と該ルーバ間に介在し、該ルーバを該係止部材に押圧することを特徴とする請求項１記載の電子装置の換気装置。」とあるを、明りょうでない記載の釈明を目的として、
「　プラスチックで成形され、電子装置の開口部に付設されるルーバと、
　前記ルーバを前記電子装置の開口部に着脱自在に取着する係止部材と、
　導電性を有し、前記ルーバを被うフィルタと、
を含む電子装置の換気装置であって、
　前記ルーバは、前記開口部に対向配置される被係止部材間に配置され、
　前記係止部材は該ルーバの両側に設けられ、
　一方の側の係止部材は対応する一方の被係止部材と係合し、
　他方の側の係止部材は弾性を有して他方の被係止部材と該ルーバ間に介在し、該ルーバを前記一方の被係止部材に押圧すること、
を特徴とする電子装置の換気装置。」と訂正する。
　訂正事項ｃ
　特許明細書第１頁第１７行（特許公報第２欄第５行）、第３頁第１４行（特許公報第３欄第２８行）及び第５頁第１行（特許公報第３欄第４９行）における「係止体」を、明りょうでない記載の釈明を目的として、それぞれ「係止部材」と訂正する。
　訂正事項ｄ
　特許明細書第１頁第１８行（特許公報第２欄第６行）、第３頁第１５行（特許公報第３欄第２９行）及び第４頁第２０行（特許公報第３欄第４８行）における「係止部材」を、明りょうでない記載の釈明を目的として、それぞれ「被係止部材」と訂正する。
　訂正事項ｅ
　特許明細書第３頁第６〜１１行（特許公報第３欄第２０〜２５行）における
「前記開口部に対向配置される係止部材間に配置され、前記係止体は該ルーバの両側に設けられ、一方の側の係止体は対応する該係止部材と係合し、他方の側の係止体は弾性を有して該係止部材と該ルーバ間に介在し、該ルーバを該係止部材に押圧する」を、明りょうでない記載の釈明を目的として、「前記開口部に対向配置される被係止部材間に配置され、前記係止部材は該ルーバの両側に設けられ、一方の側の係止部材は対応する一方の被係止部材と係合し、他方の側の係止部材は弾性を有して他方の被係止部材と該ルーバ間に介在し、該ルーバを前記一方の被係止部材に押圧する」と訂正する。
（５４）【発明の名称】
電子装置の換気装置
（５７）【特許請求の範囲】
　１．プラスチックで成形され、電子装置の開口部に付設されるルーバと、
　前記ルーバを前記電子装置の開口部に着脱自在に取着する
係止部材
　導電性を有し、前記ルーバを被うフィルタ
と
を含む電子装置の換気装置
　前記ルーバは、前記開口部に対向配置される
被係止部材
　前記
係止部材
　一方の側の
係止部材
一方の被係止部材
　他方の側の
係止部材
他方の被係止部材
前記一方の被係止部材
、
を特徴とする
電子装置の換気装置
【発明の詳細な説明】
〔概要〕
　電子装置の換気装置に関し、
　製造上安価であり且つ取り扱い上簡易な電子装置の換気装置を提供することを目的とし、
　電子装置の筐体開口部に付設する換気装置であって、
係止部材
被係止部材
〔産業上の利用分野〕
　本発明は、電子装置の筐体開口部に付設する換気装置に関する。
〔従来の技術〕
　一般に、電子装置筐体の扉には、換気のために開口が穿設され、そこには第６図に分解斜視的に描いたルーバが付設される。それについて簡単に説明すると、６１は板金製の傘板、６２はこれら傘板６１を雨仕無的に斜めに配設するためにそれらを受容するスリットを有する側板部材、そして６３は傘板６１に付設されるエアーフィルタ（図示せず）を支持するＬ形金具であり、これらの組み立て及び扉（図示せず）への取り付けは溶接により行われる。
〔発明が解決しようとする課題〕
　しかるに、上記従来構造では製造コストや組み立てコストが極めて割高であり、またルーバを取り外すことができないためにそのメンテナンスが厄介である等といった不都合がある。
　そこで、これらの不都合を一掃し得る安価且つ簡易な電子装置の換気装置を提供することを課題とする。
〔課題を解決するための手段〕
　上記課題を解決するために本発明に係る電子装置の換気装置は、プラスチックで成形され、電子装置の開口部に付設されるルーバと、前記ルーバを前記電子装置の開口部に着脱自在に取着する係止体と、導電性を有し、前記ルーバを被うフィルタ、とを含むことを構成上の特徴とする。
　好ましくは、前記ルーバは、前記開口部に対向配置される
被係止部材
係止部材
係止部材
一方の被係止部材
係止部材
他方の被係止部材
前記一方の被係止部材
〔作用〕
　ルーバをプラスチックで一体成形するので、製造コストが減少する。また、ルーバに
係止部材
被係止部材
〔実施例〕
　以下、本発明の実施例について図面を参照して説明する。
　第１図は、本発明の一実施例の換気装置を複数個付設した電子装置の全体正面図、第２図は第１図の電子装置の扉を裏から見た図、第３図は実施例の要部を成すルーバの斜視図、第４図は実施例の換気装置の断面側面図、第５図は実施例の換気装置の分解側面図である。
　第１図を参照すると、電子装置１の前扉２には５つの矩形状の開口部が設けられ、そこにはルーバ３が扉裏側からそれを塞ぐようにそれぞれ取着されている。この扉２に取着されたルーバ３の上には更にエアフィルタ４が取着されている（第２図）。
　本実施例の要部を成すルーバ３を取り付け側から斜視的に見た第３図を参照すると、斯かるルーバ３は外観上及び換気機能上、従来のルーバ（第６図）と同様であるが、プラスチックで一体成形したこと、及び扉２に設けた
被係止部材
係止部材
　前者の特徴により、従来のような板金を組み立て・溶接する煩わしさがなくなり、製造コストが飛躍的に低減できる。
　後者の特徴については、第４及び５図を参照して更に詳細に説明する。
　ルーバ３の上側に設けられた係止片６は（第５図）、弾性変形自在の屈曲部９及びその先端の鉤状部１０を有する。ルーバ３の下側に設けられた係止突起７は、扉２の矩形状の開口部１２の下側に固設した受け板１４の穴１５に嵌まり込むようになっている。扉２の開口部１２の上側にはＬ形の受け板１７が固設され、ルーバ３の係止片６の鉤状部１０が引っ掛かり得る穴１８が穿設されている。
　従って、ルーバ３取り付け時には、先ずルーバ３下方の係止突起７を受け板１４の穴１５に差し込み、そしてそこを中心にしてルーバ３を扉方向に回して近づけていくことにより、ルーバ３上方の係止片６の鉤状部１０が受け板１７の穴１８にスナップ式に嵌まり込む。これにより、ルーバ３は扉２に対してしっかり保持（取着）される（第４図）。すなわち、極めて容易にルーバ３の取り付けを行うことができ、他方、取り外す場合も、例えばドライバの先端で鉤状部１０が穴１８から外れるように僅かに押圧すれば足り、簡易・簡便である。
　なお、本実施例においてはルーバ３の取り付け面側に扉２の開口部１２に概ねピタリ入り込む所定寸法形状の段付部を設けてある。従って、ルーバ３の取付け時（第４図）にはルーバ３のその表面部分と扉２の前面とがいわゆる面一となるようにすることができ、装置の外観上好ましい。
　また、本実施例においては、この換気部分の電磁気的なシールドに関しても考慮している。すなわち、扉２に取着されたルーバ３を被うようにエアフィルタ４が取着される。このエアフィルタ４は、板金製の枠体２１と前面及び後面を構成する金属製のメッシュ２２と内部に収容されるフィルタ部材２３とから成り、その下側は、扉２の受け板１４先端の係止部２５によって係止され、その上側は扉２にビス止めされる段階状の弾性変形自在の板ばね部材２７によって押さえ込まれることにより、着脱自在に扉２に取着される。このようにプラスチック製のルーバ３が金属製の部材（エアフィルタ４）で実質的に（同電位的に）被われるために電波放射等を抑制できる。
〔発明の効果〕
　以上の如く本発明によれば、従来の不都合が解消し、製造上安価であり、且つ取り扱い作業上簡易な換気装置が得られ、実用価値が大となる。
【図面の簡単な説明】
第１図は本発明の一実施例における電子装置の全体正面図、
第２図は第１図の電子装置の扉を裏から見た図、
第３図は実施例のルーバの斜視図、
第４図は実施例の換気装置の断面側面図、
第５図は実施例の換気装置の分解側面図、
第６図は従来の換気装置の分解斜視図である。
１……電子装置、　　　　　２……扉、
３……ルーバ、　　　　　　６……係止片、
７……係止突起、　　　　　１２……開口部、
１４……受け板、　　　　　１７……受け板。